(57)【要約】【課題】撮像装置へのバッテリーグリップ装着途中においてのエラーを回避すること。【解決手段】バッテリーグリップに具備された三脚ネジを締め付ける事により接続し、前記バッテリーグリップから、接続ピンを介して電源供給される撮像装置において、バッテリーグリップに具備された三脚ネジの締め付け量に応じて、歪み量を出力する歪みセンサーと、前記歪みセンサーの出力を検出するための歪み検出部とを具備し、歪み検出部によって得られる歪量を判断し、該判断に応じた制御を行うことを特徴とする。【選択図】図１
2019020545.tif 000002
【特許請求の範囲】
【請求項１】
バッテリーグリップに具備された三脚ネジを締め付ける事により接続し、前記バッテリーグリップから、接続ピンを介して電源供給される撮像装置であって、
バッテリーグリップに具備された三脚ネジの締め付け量に応じて、歪み量を出力する歪みセンサーと、
前記歪みセンサーの出力を検出するための歪み検出部と、
を具備し、
歪み検出部によって得られる歪量を判断し、該判断に応じた制御を行うことを特徴とする撮像装置。
【請求項２】
バッテリーグリップの三脚ネジに着脱可能であり、バッテリーグリップに具備された接続ピンを介して、接続状態を検知する接続検知信号を発し、前記接続検知信号の信号レベルにより、前記撮像装置に装着されているアクセサリが、バッテリーグリップか否かを判定する判定部をさらに備えることを特徴とする請求項１に記載の撮像装置。
【請求項３】
バッテリーグリップの三脚ネジに着脱可能であり、バッテリーグリップに具備された接続ピンを介して、接続状態を検知する接続検知信号を発する検知部と、接続状態を表示する表示部をさらに備えることを特徴とする請求項１に記載の撮像装置。
【発明の詳細な説明】
【技術分野】
【０００１】
本発明は、アクセサリを装着可能な三脚ネジを備えた撮像装置に関する。
【背景技術】
【０００２】
従来、バッテリーグリップを撮像装置へ取り付ける際に、撮像装置の電源スイッチがオン状態の場合、電源供給接点が三脚ネジから距離が離れているため、バッテリーグリップ装着途中において接続不良によるエラーが発生する場合がある。
【０００３】
また、バッテリーグリップ以外のアクセサリを、三脚ネジの締め付けで装着する場合においてもエラーが発生する可能性がある。
【０００４】
特許文献１では、三脚ネジ穴内の入り口近傍に第１検出スイッチを配設し、第１検出スイッチより三脚ネジ穴内の奥方向に第２検出スイッチを配設しているので、第１及び第２検出スイッチのオン／オフ状態により三脚の取り付け状態を検出することができる。
【０００５】
また、特許文献２には、三脚ネジの締め付け状態を検知し、未装着、適正、締め過ぎを判定するものが開示されている。
【先行技術文献】
【特許文献】
【０００６】
【特許文献１】特開２００８−２３３３２５号公報
【特許文献２】特開２０１４−１９１１８９号公報
【発明の概要】
【発明が解決しようとする課題】
【０００７】
しかしながら、上述の特許文献１に開示された従来技術では、主に三脚側のネジが撮像装置に取り付けられた事を検出するのみであり、三脚ネジを具備したバッテリーグリップを、撮像装置に装着する場合の、撮像装置への給電については記載されていない。
【０００８】
また、上記の特許文献２に開示された従来技術では、撮像装置における三脚ネジの締め付け量を検知し、三脚ネジの締めすぎにより撮影装置の破壊を防止するものであり、三脚ネジの締め付け途中での撮像装置への給電に関して記載されているものではない。
【０００９】
本発明の目的は、三脚ネジを具備したバッテリーグリップを、撮像装置に装着する場合、撮像装置との接続状態を検知し、且つ、三脚ネジの締め付け量に二段階の閾値を設定し、締め付け量に応じて撮像装置の動作を順次開始することにある。これにより三脚ネジ締め付け途中での、接続不良によるバッテリーチェックエラーなどを低減することにある。
【課題を解決するための手段】
【００１０】
上記の目的を達成するために、本発明に係る撮像装置は、
バッテリーグリップに具備された三脚ネジを締め付けることにより接続し、前記バッテリーグリップから、接続ピンを介して電源供給される撮像装置であって、バッテリーグリップに具備された三脚ネジの締め付け量に応じて、歪み量を出力する歪みセンサーと、前記歪みセンサーの出力を検出するための歪み検出部とを具備し、歪み検出部によって得られる歪量を判断し、該判断に応じた制御を行うことを特徴とする。
【発明の効果】
【００１１】
本発明に係る撮像装置によれば、三脚ネジの締め付け途中において発生する接続不良によるエラーが発生することを回避し、アクセサリが撮像装置に正常に装着されたことを装置が判定した際に使用者が所望する動作を開始できるようになる。
【図面の簡単な説明】
【００１２】
【図１】本発明の実施例における撮像装置及びアクセサリの電気構成を示すブロック図である。
【図２】実施例におけるアクセサリ装着時におけるマイコンの動作を示すフローチャートである。
【図３】実施例における歪みセンサーの歪み量とアクセサリ装着関係を示す図である。
【図４】実施例におけるアクセサリと撮像装置を示す外観図である。
【発明を実施するための形態】
【００１３】
以下に、本発明の好ましい実施の形態を、添付の図面に基づいて詳細に説明する。
【００１４】
図１は、本発明の実施例である三脚ネジ穴を有するカメラ（撮像装置）及び、前記カメラに装着可能な、三脚ネジを具備したバッテリーグリップを表すブロック図である。
【００１５】
以下、図１を参照して、本発明の実施例である三脚ネジ穴を有するカメラ及び、バッテリーグリップのブロック構成図について説明する。
【００１６】
カメラ本体１００は、バッテリーグリップ２００を取り付ける為の三脚ネジ穴１０６を有しており、三脚ネジ２０２を締付ける事により前記カメラ本体１００と装着状態となる。カメラ本体１００内のマイコン１０１はカメラ各部の制御を行う。電源回路部１０２は、マイコン１０１を含む不図示の各回路部へ電源を供給する。エラー等が生じた際にユーザーへ注意喚起を行う際は、発音部１０８及び表示部１０９を使用する。
【００１７】
また、前記カメラ本体１００には不図示のバッテリーボックスがあり、バッテリーボックス内には、バッテリーグリップ２００に具備された、接続ピン２０３と接続する為の接続Ｐａｄ１０７が設けられている。前記接続Ｐａｄには、電源供給Ｐａｄ１０７ａ、ＧＮＤ接続Ｐａｄ１０７ｂ、アクセサリ検出Ｐａｄ１０７ｃ及び、不図示の通信Ｐａｄを具備している。
【００１８】
また、前記カメラ本体１００はアクセサリ検出部１０３を有しており、アクセサリ検出部１０３はカメラ本体１００にバッテリーグリップ２００が挿入された際に、バッテリーグリップ２００の接続ピン２０３ｃからのアクセサリ検出信号を検知する。バッテリーグリップ２００が装着されると、バッテリーグリップ２００に具備された電源供給ピン２０３ａ、ＧＮＤピン２０３ｂ、アクセサリ検出ピン２０３ｃのそれぞれが前記、接続Ｐａｄ１０７と接続される。カメラ本体１００のアクセサリ検出接続パッド１０７ｃが、バッテリーグリップ２００のアクセサリ検出ピン２０３ｃと接続すると、アクセサリ検出ピンに割り当てられた、／ＬＧ＿ＳＥＬ信号の’Ｌ’を検出し、カメラ本体１００はバッテリーグリップ２００が挿入されたと認識する。／ＬＧ＿ＳＥＬ信号が’Ｈ’の時は、バッテリーグリップ２００以外のアクセサリがカメラ本体１００に接続されたと認識する。
【００１９】
また、前記カメラ１００の三脚ネジ穴１０６の近くには歪みセンサー１０５が設けられており、前記バッテリーグリップ２００を前記カメラ本体１００に装着する際の締め付け量を検出し、三脚ネジ２０２締め付けによる歪みセンサー１０５からの歪み量を歪み検出部１０４へ送る。
【００２０】
次に、図１のカメラ本体１００に具備されたマイコン１０１による、歪みセンサー１０５を用いた場合の締め付け判断動作を図２のフローチャートに沿って説明する。
【００２１】
ステップＳ１００１において、ユーザーがカメラ本体１００にアクセサリ２００を装着し、アクセサリ検出ピン２０３ｃがカメラ本体１００内の接続パッド１０７ｃと接触する事でカメラ本体１００内のアクセサリ検出部１０３はアクセサリ２００の装着を検出する。アクセサリ検出部１０３が、／ＬＧ＿ＳＥＬ信号の‘Ｌ’信号を検知した際はバッテリーグリップ２００が装着されたと判断してＳ１００２に進み、／ＬＧ＿ＳＥＬ信号が‘Ｈ’を検知した際はバッテリーグリップ２００以外が装着されたと判断してＳ２００１に進む。
【００２２】
ステップＳ１００２では、ユーザーがバッテリーグリップ２００の三脚ネジ２０２を締めつけていくと、歪みセンサー１０５から歪み検出部１０４を介して、カメラ本体１００内のマイコン１０１へ歪み量の情報が送信される。マイコン１０１で読み込んだ歪み量を元に、三脚ネジ２０２の締め付けによる歪み量が  ａ１以上（≧ａ１）であるか否かを判断する。歪み量が≧ａ１になるとＳ１００３に進み、歪み量ａ１未満  （＜ａ１）であればＳ１００２へ戻る。
【００２３】
ステップＳ１００３では、歪みセンサー１０５の歪み量が  ≧ａ１であり、三脚ネジ２０２の締め付け量が締め付け途中であることをマイコン１０１は検知する。その後、マイコン１０１は歪み検出部１０４及びアクセサリ検出部１０３のみを動作させた状態を維持し、バッテリーチェック等のカメラ本体１００の起動に直接関係がない処理を開始する（以下、第一起動と呼ぶ）。マイコン第一起動を行った後はステップＳ１００４へ進む。
【００２４】
ステップＳ１００４では、マイコン１０１が第一起動を行っている状態において、カメラ本体１００の電源スイッチがオンの状態であるか否かを判断し、オンの状態になるとＳ１００５に進み、オフの状態の間はＳ１００４に戻る処理を繰り返す。
【００２５】
ステップＳ１００５では、三脚ネジ２０２の締め付け量がａ２以下（≦ａ２）の際は、接続不良等が生じる可能性があるため、Ｓ１００６に進みユーザーに警告表示を行う。
この際、ユーザーへの警告表示はカメラ本体１００に具備された表示部１０９等で表示を行う。ユーザーの締め付け量がａ２以上（≧ａ２）になると、Ｓ１００７に進む。
【００２６】
ステップＳ１００７では、締め付け量がａ２以上（≧ａ２）のため、カメラの通信接続Ｐａｄ１０７とバッテリーグリップの接続検出Ｐｉｎ２０３間の接触が十分である（接続不良は起きない）ことからカメラ本体１００の起動を開始し撮影待機状態となる。従って、ユーザーがカメラ本体１００にアクセサリを装着し、アクセサリの接続検出ピンがカメラ本体１００内の接続パッド１０７と接触する事で、カメラ本体１００内のアクセサリ検出部１０３はバッテリーグリップ２００が装着されたことを検出する。
【００２７】
ステップＳ２００１では、／ＬＧ＿ＳＥＬ信号が‘Ｈ’であることをアクセサリ検出部１０３が検出した場合、バッテリーグリップ以外のアクセサリが装着された際の処理を開始する。ユーザーがアクセサリの三脚ネジ２０２を締めつけていくと、歪みセンサー１０５から歪み検出部１０４を介して、カメラ本体１００内のマイコン１０１へ歪み量の情報が送信される。マイコン１０１で読み込んだ歪み量を元に、三脚ネジ２０２の締め付けによる歪み量がｂ１以上（≧ｂ１）であるか否かを判断する。歪み量が≧ｂ１になるとＳ２００３に進み、歪み量ｂ１未満  （＜ｂ１）であればＳ２００２へ進み、ユーザーに三脚ネジの締め付け量が弱いことをカメラ本体１００の表示部１０９で知らせる。
【００２８】
ステップＳ２００３では、締め付け量がｂ１以上（≧ｂ１）のため、撮像装置の表示部で締め付けが十分であることをカメラ本体１００の表示部１０９で知らせることにより、ユーザーが三脚ネジ２０２の締め付けが弱いことにより発生するエラーを回避する。
【００２９】
図３にアクセサリの三脚ネジ２０２とカメラ本体１００の三脚ネジ穴１０６との締め付け量に応じた状態を示す。
【００３０】
図３（ａ）にバッテリーグリップ２００を装着する場合の装着状態を示す。
【００３１】
バッテリーグリップ２００を装着する場合、歪みセンサー１０５により歪み量の閾値ａ１（Ｓ３０２），ａ２（Ｓ３０４）を判定基準とし、締め付け量を『＜ａ１：締め付け量＿弱』（Ｓ３０１），『ａ１≦，＜ａ２：締め付け量＿中』（Ｓ３０３）と判定するものである。歪み量『ａ１≦，＜ａ２：締め付け量＿中』（Ｓ３０３）はバッテリーグリップ２００装着途中でのエラーが発生する可能性を考慮して、表示部１０９により、ユーザーに警告表示を行う。歪み量が『≧ａ２：取付完了』（Ｓ３０５）となった際に、アクセサリ検出ピン２０３と接続パッド１０７の接続が十分に保証できたと判断して、カメラの初期動作を開始する。
【００３２】
図３（ｂ）にバッテリーグリップ２００以外のアクセサリを装着した際の装着状態を示す。
【００３３】
バッテリーグリップ２００以外のアクセサリを装着した際、／ＬＧ＿ＳＥＬ信号が‘Ｈ’であることをアクセサリ検出部１０３が検出し、カメラ本体１００内のマイコン１０１へ／ＬＧ＿ＳＥＬ信号の情報が送信される。
【００３４】
バッテリーグリップ以外のアクセサリは、カメラ本体１００へ電源を供給する構成ではないためバッテリーグリップ２００のように２段階の閾値ａ１（Ｓ３０２），ａ２（Ｓ３０４）を持たず、１段階の閾値ｂ１（Ｓ３０７）で締め付け量の判定を行う。締め付け量の判定は閾値ｂ１（Ｓ３０７）を基準とし、締め付け量を『＜ｂ１：締め付け量＿弱』（Ｓ３０６），『ｂ１≦：取付完了』（Ｓ３０８）として行う。
【００３５】
歪み量『＜ｂ１：締め付け量＿弱』（Ｓ３０６）は装着時のエラーが発生する可能性を考慮してユーザーに警告表示を行い、且つ、歪み検出部及びアクセサリ検出部１０３のみを動作させる。歪み量が『≧ｂ１：取付完了』（Ｓ３０８）となった際に、カメラの初期動作を開始する。
【００３６】
図４（ａ）は、カメラ本体１００を下方から見た図である。
【００３７】
カメラ本体１００の底面に三脚ネジ穴１０６と、不図示の電池ＢＯＸ内に、接続用パッド１０７が設けられている。図４（ｂ）は、バッテリーグリップ２００を上方から見た図である。接続ピン２０３と三脚ネジ２０２が設けられている。
【００３８】
ユーザーがアクセサリ検出ピン２０３ｃとアクセサリ検出接続パッド１０７ｃを接続し、三脚ネジ２０２を三脚ネジ穴１０６に締めつけることにより、カメラ本体１００は歪み検出部の歪量を判断し、該判定に応じた制御を行う。
【００３９】
上記の実施例において、三脚ネジ２０２の締め付け量を、歪みセンサー１０５で検知しているが、歪みセンサーの他、圧力センサーや、ホールセンサーなどの検出手段を使用しても良い。
【００４０】
以上、本発明の好ましい実施例について説明したが、本発明はこれらの実施例に限定されず、その要旨の範囲内で種々の変形および変更が可能である。
【符号の説明】
【００４１】
１００  撮像装置、１０１マイコン、１０２  電源回路部、
１０３  アクセサリ検出部、１０４  歪み検出部、１０５  歪みセンサー、
１０６  表示部、１０７接続Ｐａｄ、１０７ａ  電源供給Ｐａｄ、
１０７ｂ  ＧＮＤ接続Ｐａｄ、１０７ｃ  アクセサリ検出Ｐａｄ、
１０８  発音部、２００  アクセサリ、２０１  電池、２０２  三脚ネジ、
２０３  接続ピン、２０３ａ電源供給ピン、２０３ｂ  ＧＮＤピン、
２０３ｃ  アクセサリ検出ピン
【図１】
2019020545.tif 000003
【図２】
2019020545.tif 000004
【図３】
2019020545.tif 000005
【図４】
2019020545.tif 000006